(57)【特許請求の範囲】
【請求項１】
縦方向，横方向，肌当接面，着衣当接面，縦方向に対向する前端縁，後端縁および横方向に対向する両側縁を有し、液吸収層と肌当接面側に形成された縦長の圧搾溝とを備える吸収性物品において、
前記圧搾溝が、前記物品の縦中心線を挟んでほぼ前記縦方向に延びる一対の側方条溝と、前記一対の側方条溝の各々前端から前方に向かって前記側方条溝どうしをつなぐように延びる前方条溝と、前記一対の側方条溝の各々の後端から後方に向かって集束するように延びる一対の後方条溝とを含み、前記側方条溝と前記前方条溝と前記後方条溝とに囲まれた領域は、前記側方条溝の前記横方向の離間距離が最も小さくなる位置で前記横方向に引いた線分と前記縦中心線との交点でその厚みが最も大きくされ、前記後方条溝へ向かうにつれてその厚みが徐々に薄くされ、前記縦方向に細長く後方に向かって尖った形状に形成され、
前記後方条溝の後端部分が湾曲形状であり、
前記後方条溝の後端より後方に広がる臀部当接領域および前記前方条溝の前端より前方に広がる領域が、１〜５ｍｍの厚み寸法を有し、前記臀部当接領域が、肌当接面側に凸となるように縦中心線に沿って折れ曲がることを特徴とする前記物品。
【請求項２】
縦方向，横方向，肌当接面，着衣当接面，縦方向に対向する前端縁，後端縁および横方向に対向する両側縁を有し、液吸収層と肌当接面側に形成された縦長の圧搾溝とを備える吸収性物品において、
前記圧搾溝が、前記物品の縦中心線を挟んでほぼ前記縦方向に延びる一対の側方条溝と、前記一対の側方条溝の各々前端から前方に向かって前記側方条溝どうしをつなぐように延びる前方条溝と、前記一対の側方条溝の各々の後端から後方に向かって集束するように延びる一対の後方条溝とを含み、前記側方条溝の前記横方向の離間距離が最も小さくなる位置で前記横方向に引いた線分と前記縦中心線との交点でその厚みが最も大きくされ、前記後方条溝に向かうにつれて徐々にその厚みが薄くされ、前記縦方向に細長く後方に向かって尖った形状に形成され、
前記一対の後方条溝の前端どうしの前記横方向の離間距離が２５〜５５ｍｍであり、
前記一対の後方条溝の前端から後端までの前記縦方向の距離が３０〜１５０ｍｍであり、
前記後方条溝の後端より後方に広がる臀部当接領域および前記前方条溝の前端より前方に広がる領域が、１〜５ｍｍの厚み寸法を有し、前記臀部当接領域が、肌当接面側に凸となるように縦中心線に沿って折れ曲がることを特徴とする前記物品。
【請求項３】
前記後方条溝の後端部分がＶ字形状である請求項２に記載の物品。
【請求項４】
前記臀部当接領域の前記横方向の曲げ剛性値が１００〜４００ｍｇである請求項１〜３いずれかに記載の物品。
【請求項５】
前記一対の後方条溝が、前記縦中心線上で集束する請求項１〜４いずれかに記載の物品。
【請求項６】
前記後方条溝の後端から前記液吸収層の後端縁までの前記縦方向の距離が５０ｍｍ以上である請求項１〜５いずれかに記載の物品。
【請求項７】
前記前方条溝は、前方内側条溝と、前記前方内側条溝よりも前記縦方向および横方向外側に位置する前方外側条溝とを有する請求項１〜６のいずれかに記載の物品。
【請求項８】
前記後方条溝は、後方内側条溝と、前記後方内側条溝よりも前記縦方向および横方向外側に位置する後方外側条溝とを有する請求項１〜７のいずれかに記載の物品。
【発明の詳細な説明】
【技術分野】
【０００１】
この発明は、吸収性物品に関し、より詳しくは、着用者の臀部に対するフィット性に優れた生理用ナプキンなどの吸収性物品に関する。
【背景技術】
【０００２】
特開２００１−８９７１（特許文献１）には、吸収層および防漏層を有し、実質的に縦長で、前方部に１本または２本の長手方向に沿った防漏溝が形成され、後方部に３本以上の長手方向に沿った防漏溝が形成されている吸収性物品が開示されている。この物品は、防漏溝におけるシール強度を５０ｃＮ／３０ｍｍ以上とすることによって、防漏溝で表面シートが切れたり浮いたりして吸収体から剥離することにより生じる体液漏れを防止するというものである。
【特許文献１】特開２００１−８９７１号公報
【発明の開示】
【発明が解決しようとする課題】
【０００３】
しかしながら、この物品は、防漏溝の後方部分が残余の部分とほぼ同じ厚さに形成され、格別の配慮がなされていないため、着用時に幅方向から圧力を受けたときに、後方部分が幅方向に折れ曲がっても、着用者の臀裂に入り込み難く、臀裂を伝って生じる体液の漏れを防止することは難しい。
【０００４】
この発明は、上述のような課題に鑑みてなされたものであり、着用者の臀部に対するフィット性に優れ、体液漏れを効果的に防止することができる吸収性物品を提供することを目的とする。
【課題を解決するための手段】
【０００５】
上記課題を解決するためのこの発明に係る吸収性物品は、縦方向，横方向，肌当接面，着衣当接面，縦方向に対向する前端縁，後端縁および横方向に対向する両側縁を有し、液吸収層と肌当接面側に形成された縦長の圧搾溝とを備え、さらに、下記の第１の構成または第２の構成を有することを特徴とする。
【０００６】
第１の構成は、圧搾溝が、物品の縦中心線を挟んでほぼ縦方向に延びる一対の側方条溝と、一対の側方条溝の各々前端から前方に向かって側方条溝どうしをつなぐように延びる前方条溝と、一対の側方条溝の各々の後端から後方に向かって集束するように延びる一対の後方条溝とを含み、側方条溝と前方条溝と後方条溝とに囲まれた領域は、側方条溝の横方向の離間距離が最も小さくなる位置で横方向に引いた線分と縦中心線との交点でその厚みが最も大きくされ、後方条溝に向かうにつれてその厚みが徐々に薄くされ、縦方向に細長く後方に向かって尖った形状に形成され、後方条溝の後端部分が湾曲形状であり、後方条溝の後端より後方に広がる臀部当接領域および前方条溝の前端より前方に広がる領域が、１〜５ｍｍの厚み寸法を有し、臀部当接領域が、肌当接面側に凸となるように縦中心線に沿って折れ曲がることである。
ここで、半径が０ｍｍである円は有り得ないため、半径０〜１０ｍｍの円には、半径０ｍｍの円が含まれない。
【０００７】
第２の構成は、圧搾溝が、物品の縦中心線を挟んでほぼ縦方向に延びる一対の側方条溝と、一対の側方条溝の各々前端から前方に向かって側方条溝どうしをつなぐように延びる前方条溝と、一対の側方条溝の各々の後端から後方に向かって集束するように延びる一対の後方条溝とを含み、側方条溝の横方向の離間距離が最も小さくなる位置で横方向に引いた線分と縦中心線との交点でその厚みが最も大きくされ、後方条溝に向かうにつれて徐々にその厚みが薄くされ、縦方向に細長く後方に向かって尖った形状に形成されるとともに、一対の後方条溝の前端どうしの横方向の離間距離が２５〜５５ｍｍであり、一対の後方条溝の前端から後端までの縦方向の距離が３０〜１５０ｍｍであり、後方条溝の後端より後方に広がる臀部当接領域および前方条溝の前端より前方に広がる領域が、１〜５ｍｍの厚み寸法を有し、臀部当接領域が、肌当接面側に凸となるように縦中心線に沿って折れ曲がることである。
なお、後方条溝の後端部分はＶ字形状でもよい。
【０００８】
上述のような形状の後方条溝と厚み寸法の小さい臀部当接領域とを備える吸収性物品は、着用時に、着用者の大腿から受ける横方向からの圧力が後方条溝に伝わる同時に、着用ショーツに配された弾性糸の収縮力によって着衣当接面側から肌当接面側に向かって押し上げられることにより、臀部当接領域が、後方条溝を案内にして肌当接面側に凸となるように縦中心線に沿って容易に折れ曲がり、折れ曲がった状態の臀部当接領域が着用者の臀裂に入り込むことができる。
【０００９】
臀部当接領域を肌当接面側に凸となるように縦中心線に沿ってより折れ曲がり易くするためには、臀部当接領域の横方向の曲げ剛性値が、１００〜４００ｍｇであると好ましく、１３０〜３５０ｍｇであるとより好ましい。臀部当接領域以外の部分の曲げ剛性値は特に限定されないが、後方条溝の後端の横方向の曲げ剛性値が、１００〜５００ｍｇ、より好ましくは１５０〜３５０ｍｇであると、臀部当接領域がより折れ曲がり易くなる。
臀部当接領域より前方で一対の側方条溝に挟まれている領域が、臀部当接領域よりも厚く、肌当接面側に隆起した形状であると、着用者の股間に対するフィット性が向上し、体液の漏れをより一層効果的に防止することができてより好ましい。
【００１０】
一対の後方条溝の後端どうしは、つながっていてもよいし、つながっていなくてもよい。一対の後方条溝の後端どうしがつながっている場合には、一対の後方条溝が、縦中心線上で集束する、換言すれば、後方条溝の後端が縦中心線上に位置することが好ましい。一対の後方条溝の後端どうしがつながっていない場合には、後方条溝の後端間を結ぶ線分の中点が物品の縦中心線上に位置していることが好ましい。一対の後方条溝の後端がそのような位置にあると、着用時に後方条溝を案内にして生じる折れ曲がり線が物品の縦中心線と一致し、臀部当接領域が左右のバランスよく着用者の臀部を覆うことができる。臀部当接領域において、物品が確実に縦中心線に沿って曲がるように、圧搾溝の後端から後方に向かって縦中心線に沿って延びる折り曲げのための案内が設けられていてもよい。
【００１１】
圧搾溝が、一対の側方条溝の各々の前端からそれら側方条溝をつなぐように延びる前方条溝をさらに含んでいてもよい。側方条溝，後方条溝および前方条溝によって構成される圧搾溝が全体として閉じた環状であると、それによって圧搾溝に囲まれた領域に排出された体液が漏れ出ないという外観上の安心感を着用者に与えることができるとともに、実際に体液の漏れ防止効果を高めることができる。
【００１２】
後方条溝の後端から液吸収層の後端縁までの縦方向の距離は、５０ｍｍ以上であることが好ましい。それによって、着用者の臀部が広範囲にわたって液吸収層により覆われるから、体液漏れを効果的に防止できると同時に、漏れに対する心理的不安を解消して着用者に安心感を与えることができる。
【発明の効果】
【００１３】
この発明に係る吸収性物品によれば、着用時に横方向からの圧力を受けると、臀部当接領域が、後方条溝を案内にして肌当接面側に凸となるように折れ曲がって着用者の臀裂に入り込むから、着用者の臀部に対するフィット性が向上し、臀裂を伝って生じる体液の漏れを防止することができる。
【発明を実施するための最良の形態】
【００１４】
この発明に係る吸収性物品として生理用ナプキンを例にとり、この発明の実施形態について、図面を参照しながら以下に説明する。
【００１５】
図１は、肌当接面１１を上側にして示す生理用ナプキン１０の平面図である。このナプキン１０は、後記弾性伸縮部材１７の収縮力に抗してほぼ平らな状態にある。図２は、後記ウィング１８が裏面側に折り返されて、着用ショーツＳに固定された状態にあるナプキン１０の平面図である。図３は、図１のナプキン１０の３−３線端面図である。図４は、図１のナプキン１０の４−４線端面図である。図５は、図１のナプキン１０を縦中心線Ｃで切断した５−５線端面図である。
【００１６】
ナプキン１０は、生理中の女性が就寝時などに着用するのに適した縦長のものであり、縦方向Ｌの全長がおよそ２００〜４５０ｍｍである。
このナプキン１０は、縦方向Ｌ，横方向Ｗ，肌当接面１１，着衣当接面１２，縦方向Ｌに対向する前端縁１３，後端縁１４および横方向Ｗに対向する両側縁１５，１５を有する。ナプキン１０は、主として、肌当接面１１を形成する透液性表面シート１９、着衣当接面１２を形成する不透液性裏面シート２０、および表裏面シート１９，２０の間に介在する液吸収層２１を含み、外周縁がシールされている。液吸収層２１は、吸液性コア２２とそれを包む液拡散性シート２３とからなり、前端縁２１ａおよび後端縁２１ｂを有する。表面シート１９と液吸収層２１との間には、フィット性およびスポット吸収性の向上のためのクッション層２４が介在している。
【００１７】
ナプキン１０は、液吸収層２１の両側縁に沿って縦方向Ｌに延びる一対の防漏フラップ１６，１６と、やや前端縁１３寄りに位置して横方向Ｗに張り出した一対のウィング１８，１８とを備えている。
防漏フラップ１６は、液吸収層２１の両側縁近傍に位置するように前後端および横方向Ｗの外側の側縁で表面シート１９上に固定されている。防漏フラップ１６は、縦方向Ｌに延びる複数の弾性伸縮部材１７（図３，４参照）を備えており、弾性伸縮部材１７の収縮力によって表面シート１９の上方へ起立して経血に対する障壁を形成する。弾性伸縮部材１７は、その弾性伸縮力が主として後記側方条溝３１が位置する付近に対して作用するように、防漏フラップ１６に収縮可能に取り付けられている。
ウィング１８は、防漏フラップ１６および裏面シート２０の延長部分によって構成されている。それら防漏フラップ１６および裏面シート２０の延長部分の間には、ウィング１８を摘持し易くするための補強材（図示せず）が介在していてもよい。ウィング１８の裏面側には、公知の粘着剤が塗布された粘着層（図示せず）が設けられている。ナプキン１０が使用されるときには、図２に示されているように、ウィング１８が裏面側に折り返されて、粘着層を介してナプキン１０が着用ショーツに固定される。図２では、着用ショーツＳの脚周り開口の縁が仮想線で描かれている。
【００１８】
ナプキン１０の肌当接面１１側には、着衣当接面１２に向って窪んだ圧搾溝３０が形成されている。圧搾溝３０は、全体として閉じた環状であり、大きく分けて、縦中心線Ｃを挟んでほぼ縦方向Ｌに延びる一対の側方条溝３１，３１と、それら側方条溝３１，３１の各々の前端３１ａから側方条溝３１どうしをつなぐように延びる前方条溝３２と、一対の側方条溝３１，３１の各々の後端３１ｂから後方に向かって側方条溝３１どうしをつなぐように延びる後方条溝３５とに区分することができる。
一対の側方条溝３１，３１は、縦中心線Ｃに関して対称であり、縦中心線Ｃに向かって僅かに膨らんだ緩やかな曲線を描いている。
前方条溝３２は、さらに前方内側条溝３３と前方外側条溝３４とに区分することができる。前方内側条溝３３および前方外側条溝３４の各々は、縦中心線Ｃに関して左右対称であって、前端縁１３側にやや膨らんだ曲線を描いている。
後方条溝３５は、さらに、後方内側条溝３６と、それよりも後方かつ外方に位置する後方外側条溝３９とに区分することができる。後方内側条溝３６および後方外側条溝３９は、どちらも縦中心線Ｃに関して左右対称である。後方内側条溝３６，後方外側条溝３９各々の右半分および左半分は、側方条溝３１の後端３１ｂから後方に向かって集束するように延びる曲線を描いている。後方内側条溝３６，後方外側条溝３９の各々は縦中心線Ｃ上で集束し、後端３６ｂ，３９ｂが縦中心線Ｃ上に位置している。後方内側条溝３６は、特に、後方に向かって尖った形状に形成されている（図１，２参照）。後方内側条溝３６の後端部分は湾曲した形状であるが、この湾曲形状は、図２において仮想線で示されているような、後方内側条溝３６の後端３６ｂで後方内側条溝３６に内接する円Ｒの弧と一致する。この仮想内接円Ｒの半径は、１０ｍｍ以下であることが好ましい。
【００１９】
圧搾溝３０は、少なくとも表面シート１９と液吸収層２１とが局部的に加圧・加熱されることによって形成される。具体的には、加熱ローラを用いたエンボス加工によって形成される。圧搾溝３０の幅は、１〜５ｍｍであることが好ましく、２〜３．５ｍｍであることがより好ましい。圧搾溝３０では、液吸収層２１および表面シート１９が圧着された高密度圧搾部５０と、高密度圧搾部５０と高密度圧搾部５０との間に位置して、圧搾溝３０以外の領域よりも高密度となった中密度圧搾部５１が形成されている。図１に現れている圧搾溝３０全体において、この高密度圧搾部５０と中密度圧搾部５１が交互に形成されて、ナプキン１０の肌当接面１１側から着衣当接面１２側へ窪む溝が線状に形成されている。前方内側条溝３３および前方外側条溝３４の縦中心線Ｃ近傍、並びに後方内側条溝３６および後方外側条溝３９の縦中心線Ｃ近傍では、高密度圧搾部５０と中密度圧搾部５１とが縦方向Ｌに延びている。
【００２０】
ナプキン１０が着用者の股間にあてがわれるときには、一対の側方条溝３１，３１の横方向Ｗの離間距離Ｗ３１が最も小さくなる位置で横方向Ｗに引いた線分と縦中心線Ｃとの交点Ｘ、または一対のウィング１８，１８の縦方向Ｌの中央どうしを結ぶ線分と縦中心線Ｃとの交点Ｘ´が膣口位置の目安とされる。図示のナプキン１０では、上記交点Ｘと交点Ｘ´とがほぼ一致している。このようなナプキン１０では、交点Ｘ（Ｘ´）と後方内側条溝３６の前端３６ａとの縦方向Ｌの離間距離ＬＸが０〜８０ｍｍ、より好ましくは０〜４０ｍｍであることが好ましい（図２参照）。なお、上記交点Ｘ，Ｘ´に代えて、ナプキン１０の外形形状の最もくびれている部分における横方向Ｗの中央を膣口位置の目安としてもよい。
後方内側条溝３６の前端３６ａどうしの横方向Ｗの離間距離Ｗ３６は、好ましくは２５〜５５ｍｍである（図２参照）。後方内側条溝３６の前端３６ａから後端３６ｂまでの縦方向Ｌの距離Ｌ３６は、好ましくは３０〜１５０ｍｍである。
【００２１】
圧搾溝３０に囲まれた領域は、交点Ｘを含む第１吸収域２７と、前方内側条溝３３より前方に広がる第２吸収域２８と、後方内側条溝３６より後方に広がる第３吸収域２９との３域に分けられる。図５に示されているように、第１吸収域２７の厚みＨ２７は、後方に向かうにつれて徐々に薄くなっている。第１吸収域２７の厚みＨ２７は、膣口と向かい合う交点Ｘ付近が最も大きく、１〜１５ｍｍであることが好ましく、５〜１２ｍｍであることがより好ましく、６〜１０ｍｍであることがさらに好ましい。第２吸収域２８の厚みは、第３吸収域２９の厚みとほぼ同程度である。第３吸収域２９の、特に後方内側条溝３６の後端３６ｂより後方に広がる臀部当接領域４１の厚みＨ４１は、１〜５ｍｍであることが好ましく、１．５〜４ｍｍであることがより好ましい（図４を併せて参照）。第１吸収域２７は、後方に向かうにつれて徐々に薄くならずに、ほぼ均一な厚みであってもよい。第２吸収域２８は、第３吸収域２９よりも厚くてもよい。
臀部当接領域４１の横方向Ｗのガーレー曲げ剛性値は、１００〜４００ｍｇであると好ましく、１３０〜３５０ｍｇであるとより好ましい。
【００２２】
図６，７は、ナプキン１０が着用された状態にあるときの、図３，４にそれぞれ相当する図である。上述のようなナプキン１０は、着用時に、着用者の大腿の動きによって横方向Ｗからの圧力Ｐ１を受けると同時に、着用者の臀裂に沿うように着用ショーツに配されている弾性糸の収縮力によって着衣当接面１２から肌当接面１１に向かう圧力Ｐ２を受ける。それによって、前方内側条溝３４と後方内側条溝３６と側方条溝３１とによって囲まれた領域２７では、肌当接面１１側に隆起するように変形する一方、臀部当接領域４１では、圧力Ｐ１が後方内側条溝３６の右半分３７および左半分３８に伝わり、後方内側条溝３６が案内となって縦中心線Ｃを頂点とする凸形状に折れ曲がる。
【００２３】
ナプキン１０が上述のような後方内側条溝３６と臀部当接領域４１とを備えていることによって、臀部当接領域４１において縦中心線Ｃに沿う折れ曲がり線が容易に生じ、臀部当接領域４１が、折れ曲がった状態で狭い着用者の臀裂に入り込むことができる。このようにして、ナプキン１０は、後方の臀部当接領域４１が着用者の臀部によくフィットし、臀裂を伝って生じる経血漏れを防止することができる。
【００２４】
後方内側条溝３６の後端３６ｂから液吸収層２１の後端縁２１ｂまでの縦方向Ｌの距離Ｌ２１は、５０ｍｍ以上であることが好ましい。それによって、着用者の臀部を覆うのに十分な臀部当接領域４１の面積を確保することができる。
後方内側条溝３６の後端３６ｂから後方外側条溝３９の後端３９ｂまでの縦方向Ｌの距離Ｌ３９は、３０ｍｍ以上であると好ましく、４０ｍｍ以上であるとより好ましい（図２参照）。それによって、後端３６ｂから後端３９ｂまでの間の領域に、臀部当接領域４１を着用者の臀部によくフィットさせるのに十分な長さの折り曲げ線を生じさせることができる。
【００２５】
臀部当接領域４１の横方向Ｗのガーレー曲げ剛性値が上述の範囲にあると同時に後方内側条溝３６の後端３６ｂの横方向Ｗのガーレー曲げ剛性値が１００〜４００ｍｇ、より好ましくは１３０〜３５０ｍｇの範囲内にあると、後方内側条溝３６を案内にして臀部当接領域４１がより折れ曲がり易くなる。
【００２６】
さらに、臀部当接領域４１をより折れ曲がり易くするためには、図８に示されているように、後方内側条溝３６の後端３６ｂから後方に向かって縦中心線Ｃに沿って延びる折り曲げ案内のための溝４０が設けられてもよい。この溝４０は、圧搾溝３０と同様の方法で形成する以外に、吸液性コア２２にスリットを設けることによって形成することができる。
【００２７】
後方内側条溝３６は、図１に示されている形状に限らず、図９〜１２に示されているような形状であってもよい。
図１に示されている後方内側条溝３６は、放物線様のなだらかな曲線を描き、後端３６ｂが丸みを帯びている。これに対して、図９に示されている後方内側条溝３６は、後端３６ｂが尖っている。図１０に示されている後方内側条溝３６は、右半分３７および左半分３８が直線状に延び、後端３６ｂが尖っている。図１１に示されている後方内側条溝３６は、右半分３７および左半分３８が縦中心線Ｃの側にややくびれるように緩やかな曲線を描いて延びている。図１２に示されている後方内側条溝３６は、後方に向かって段階的に細くなっている。
図１０に示されているように、後方内側条溝３６の右半分３７および左半分３８は直線からなる形状である。このような直線である後方内側条溝３６の右半分３７と左半分３８とがなす角αは、１０〜７０°であると好ましく、２０〜６０°であるとより好ましい。
【００２８】
後方内側条溝３６は、図１３に示されているように、右半分３７および左半分３８の後端３６ｂどうしがつながっていない形状であってもよい。その場合には、後方内側条溝３６の後端３６ｂどうしを結ぶ線分の中点が縦中心線Ｃ上に位置することが好ましい。
側方条溝３１の後端３１ａと後方内側条溝３６の前端３６ａとは離れていてもよい（図示せず）。
図１４に示されているように、前方条溝３２および後方外側条溝３９は省略されてもよい。
【００２９】
＜ガーレー曲げ剛性値の測定方法＞
上述のガーレー曲げ剛性値は、図１５において太線で示されているように、生理用ナプキン１０の後方内側条溝３６の後端３６ｂを含む領域を、縦方向Ｌの長さ寸法Ａが２５ｍｍ、横方向Ｗの長さ寸法Ｂが３８ｍｍとなるように切り取ったものを試験片として用い、株式会社日進機械製のガーレー剛軟度測定器（型式３１１）によって測定した。
試験片の横方向Ｗに対向する両端縁の一方の端から３ｍｍの部分をチャックで挟み、他方の端をガーレー剛軟度測定器の振り子に当てて曲げ測定を行った。肌当接面１１側が凸となる曲がり方向での測定値と着衣当接面１２側が凸となる曲がり方向での測定値の平均値を算出することによってガーレー曲げ剛性値を得た。
【００３０】
ナプキン１０の各構成部材は、通常公知のものを特に制限なく用いることができる。例えば、表面シート１９には、目付１５〜７０ｇ／ｍ２、密度０．０１〜０．０２５ｇ／ｃｍ３のエアースルー不織布や、目付２０〜４０ｇ／ｍ２の開孔フィルムを用いることができる。裏面シート２０には、目付１５〜４０ｇ／ｍ２の低密度ポリエチレン（ＬＤＰＥ）からなる不透液性フィルムを用いることができる。吸液性コア２２には、目付１２０〜１０００ｇ／ｍ２の粉砕パルプと目付０〜５０ｇ／ｍ２の吸収性ポリマーの混合物を用いることができる。さらに詳しくいえば、粉砕パルプの目付は、第１吸収域２７においては、３００〜１０００ｇ／ｍ２の範囲内で設定され、第２および第３吸収域２８，２９においては、１２０〜４００ｇ／ｍ２の範囲内で設定されると好ましい。液拡散性シート２２には、目付１３〜１８ｇ／ｍ２のティッシュを用いることができる。クッション層２４には、目付１５〜７０ｇ／ｍ２、密度０．００５〜０．０３５ｇ／ｃｍ３のエアースルー不織布を用いることができる。
ナプキン１０の外周縁のシールおよび各構成部材の接合には、通常公知のホットメルト接着剤による接着あるいは熱または超音波による溶着等の接合方法を用いることができる。
【００３１】
この発明は、生理用ナプキン以外に、おりもの用シート、吸尿パッド等の吸収性物品として実施することができる。
【図面の簡単な説明】
【００３２】
【図１】この発明に係る生理用ナプキンを示す平面図。
【図２】着用ショーツに固定された状態にある生理用ナプキンの平面図。
【図３】図１の生理用ナプキンの３−３線端面図。
【図４】図１の生理用ナプキンの４−４線端面図。
【図５】図１の生理用ナプキンを縦中心線で切断した５−５線端面図。
【図６】生理用ナプキンが着用された状態にあるときの図３に相当する図。
【図７】生理用ナプキンが着用された状態にあるときの図４に相当する図。
【図８】生理用ナプキンの他の実施態様を示す図。
【図９】生理用ナプキンの他の実施態様を示す図。
【図１０】生理用ナプキンの他の実施態様を示す図。
【図１１】生理用ナプキンの他の実施態様を示す図。
【図１２】生理用ナプキンの他の実施態様を示す図。
【図１３】生理用ナプキンの他の実施態様を示す図。
【図１４】生理用ナプキンの他の実施態様を示す図。
【図１５】曲げ剛性値の測定に用いられた生理用ナプキンを示す図。
【符号の説明】
【００３３】
１０      生理用ナプキン（吸収性物品）
１１      肌当接面
１２      着衣当接面
１３      前端縁
１４      後端縁
１５      側縁
２１      液吸収層
３０      圧搾溝
３１      側方条溝
３２      前方条溝
３６      後方内側条溝（後方条溝）
４１      臀部当接領域
Ｌ        縦方向
Ｗ        横方向
Ｃ        縦中心線
Ｒ        円
【図１】
0004652911.tif 000002
【図２】
0004652911.tif 000003
【図３】
0004652911.tif 000004
【図４】
0004652911.tif 000005
【図５】
0004652911.tif 000006
【図６】
0004652911.tif 000007
【図７】
0004652911.tif 000008
【図８】
0004652911.tif 000009
【図９】
0004652911.tif 000010
【図１０】
0004652911.tif 000011
【図１１】
0004652911.tif 000012
【図１２】
0004652911.tif 000013
【図１３】
0004652911.tif 000014
【図１４】
0004652911.tif 000015
【図１５】
0004652911.tif 000016